【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
内部に均質で安定した一様な磁場を形成する磁気共鳴装置（ＭＲＤ）１００の自己固定ケージであって、
所定の配列で時計回りまたは反時計回りに配置される少なくとも３つの柔軟接続多層壁１からなる外郭構造よりなることを特徴とする自己固定ケージ。
【請求項２】
前記磁気共鳴装置は、
（ａ）前記ケージ内で形成される磁場の全強度を強めるようケージ壁の前記所定の配列で配置される少なくとも３つの柔軟接続多層壁を有する外郭構造よりなることを特徴とし、前記ケージ壁１に磁気連結状態で突き合わせ方向にある２つの等しいグループとして配置される少なくとも６つの側磁石２と、
（ｂ）前記側磁石２の間に突き合わせ方向に配置される少なくとも２つの磁極片３と、
（ｃ）前記磁極片３に位置して突き合わせ方向に配置され前記ケージ内に静磁場を発生させる少なくとも２つの主磁石４とからなる
ことを特徴とする請求項１に記載の自己固定ケージ。
【請求項３】
前記側磁石の夫々の端部は隣接側磁石の端部から間隙をもって離間していることを特徴とする請求項２に記載の自己固定ケージ。
【請求項４】
前記ケージの外形が多面体形状であることを特徴とする請求項１に記載の自己固定ケージ。
【請求項５】
前記多層壁１および磁極片３が金属合金であり、好ましくは軟鉄合金であることを特徴とする請求項２に記載の自己固定ケージ。
【請求項６】
少なくとも前記ケージ壁の１つが前記ケージ壁の移動を可能にする裕度Ｉを決める突出端結合によって隣接壁と相互連結して、ケージ磁場の漏れを防ぐようにしたことを特徴とする請求項１に記載の自己固定ケージ。
【請求項７】
少なくとも前記側磁石２の一部分は、超伝導体または強磁性体であることを特徴とする請求項２に記載の自己固定ケージ。
【請求項８】
前記磁極片は、空隙によって所定間隔Ｆで隔てられていることを特徴とする請求項２に記載の自己固定ケージ。
【請求項９】
前記磁極片の面積、厚さＣ・幅Ｄ・長さＥなどの前記側磁石２の大きさ、前記主磁石および空隙Ｆが磁場強度とその均質性を決定することを特徴とする請求項２に記載の自己固定ケージ。
【請求項１０】
内部の磁場を調整する少なくとも１つの角磁石５を備えていることを特徴とする請求項１に記載の自己固定ケージ。
【請求項１１】
前記角磁石は、多面体、円柱またはこれらの組み合わせの形を形成することを特徴とする請求項１０に記載の自己固定ケージ。
【請求項１２】
少なくとも１つの円筒状角磁石は、前記ケージ内で形成される磁場を調整するのに適した回転手段を収容するために、前記角磁石の長手方向軸に沿って開口した少なくとも１つの孔を備えていることを特徴とする請求項１０に記載の自己固定ケージ。
【請求項１３】
少なくとも１つの円筒状角磁石は、時計回りにまたは反時計回りに回転することを特徴とする請求項１０に記載の自己固定ケージ。
【請求項１４】
角磁石は、磁石の磁束線と前記磁極片の端部との間の角度α・長さＡ・幅Ｂのパラメータによって定義されることを特徴とする請求項１０に記載の自己固定ケージ。
【請求項１５】
同時または既定の手順で検出乃至分析すべき複数の対象目的物を搬送移動させる少なくとも２つの隣接給送ストリームからなる給送システムを備えていることを特徴とする請求項１または請求項１の従属項のいずれか１項に記載の自己固定ケージ。
【請求項１６】
請求項１５に記載の２つの給送システムを備え、少なくとも前記２つの給送システムを一つの二次元平面で相対的に配列させたことを特徴とする層状磁気共鳴装置。
【請求項１７】
請求項１５に記載の２つの給送システムを備え、少なくとも前記２つの給送システムを三次元の複数平面に配列させたことを特徴とする層状磁気共鳴装置。
【請求項１８】
給送ストリームを平行配列、直交配列、あるいは、これらを組み合わせて配列させたことを特徴とする請求項１６または請求項１７に記載の層状磁気共鳴装置。
【請求項１９】
自己固定ケージにおいて、ケージと、囲包キャビティと、搬送手段とからなるマルチストリーム磁気共鳴装置であって、
（ａ）前記ケージは、
ｉ  強力な永久磁石による閉磁気回路と、
ｉｉ  シム調整能動コイル、シム調整受動素子のいずれかもしくは組み合わせによる配列アレイで構成された選択的シム調整機構とからなり、
（ｂ）前記囲包キャビティは内部に略々均一な磁場強度を形成し、
（ｃ）前記搬送手段は、複数試料を前記均一磁場の領域に送り込む搬送ベルトあるいはパイプで構成され、
これによって、均一磁場の領域内の複数試料を磁気共鳴測定することを特徴とするマルチストリーム磁気共鳴装置。
【請求項２０】
請求項１９に記載の自己固定ケージにおいて、２つの磁極片と側壁磁石列によって磁石構成と試料空孔キャビティ内に磁束を封じ込める閉磁気回路を形成したことを特徴とするマルチストリーム磁気共鳴装置。
【請求項２１】
請求項１９に記載の自己固定ケージにおいて、複数の試料イメージングユニットと、演算処理手段を備え、
（ａ）前記複数の試料イメージングユニットは、
ｉ  試料を均一磁場範囲に導く搬送ベルトと、
ｉｉ  搬送ベルト回りに配される傾斜磁場コイルと、
ｉｉｉ  磁気共鳴測定プローブとからなり、
（ｂ）前記演算処理手段はＣＰＵからなり、試料イメージングユニットの傾斜磁場コイルを連続して高速に作動させて均一磁場に置かれた複数の異なった試料を磁気共鳴測定する
ことを特徴とするマルチストリーム磁気共鳴装置。
【請求項２２】
請求項２１に記載の自己固定ケージにおいて、試料イメージングユニットを互いに平行に配置して、複数のストリームに沿って複数試料を同時に均一磁場領域に送り込めることを特徴とするマルチストリーム磁気共鳴装置。
【請求項２３】
請求項２１に記載の自己固定ケージにおいて、磁気回路の磁極片を囲包キャビティ側部に水平に配向させて試料を均一磁場領域に送り込む際に少なくとも一つの搬送ベルトが均一磁場領域の外側に位置することを特徴とするマルチストリーム磁気共鳴装置。
【請求項２４】
請求項２３に記載の自己固定ケージにおいて、磁気回路の磁極片を囲包キャビティ側部に水平に配向させて試料を均一磁場領域に送り込む際に少なくとも一つの搬送ベルトが均一磁場領域の下側に位置することを特徴とするマルチストリーム磁気共鳴装置。
【請求項２５】
請求項２３に記載の自己固定ケージにおいて、磁気回路の磁極片を囲包キャビティ側部に水平に配向させて試料を均一磁場領域に送り込む際に少なくとも一つの搬送ベルトが均一磁場領域の上側に位置することを特徴とするマルチストリーム磁気共鳴装置。
【請求項２６】
請求項２１に記載の自己固定ケージにおいて、複数の流体イメージングユニットと、演算処理手段を備え、
（ａ）前記流体イメージングユニットは、
ｉ  流体試料を均一磁場範囲に導くパイプと、
ｉｉ  パイプ回りに配される傾斜磁場コイルと、
ｉｉｉ  磁気共鳴測定プローブとからなり、
（ｂ）前記演算処理手段はＣＰＵからなり、流体イメージングユニットの傾斜磁場コイルを連続して高速に作動させて均一磁場に置かれた複数の異なった流体試料を磁気共鳴測定する
ことを特徴とするマルチストリーム磁気共鳴装置。
【請求項２７】
請求項２６に記載の自己固定ケージにおいて、少なくとも２つの流体イメージングユニットを直角に配置して両ユニットの傾斜磁場コイルを互いに干渉させないで同時に作動可能にしたことを特徴とするマルチストリーム磁気共鳴装置。
【請求項２８】
請求項２６に記載の自己固定ケージにおいて、少なくとも２つの流体イメージングユニットを近接して直角に配置して各ユニットの傾斜磁場コイルを短い切替時間でほぼ同時に作動させることを可能にしたことを特徴とするマルチストリーム磁気共鳴装置。
【請求項２９】
内部に均質で安定した一様な磁場を形成するために、少なくとも３つの柔軟接続多層壁１からなる外郭構造よりなることを特徴とする磁気共鳴装置１００の自己固定ケージを得る方法。
【請求項３０】
請求項２９に記載の方法であって、
（ａ）自己固定ケージとその内部に空孔キャビティ収納を構築し、
（ｂ）その内部に均質で安定した一様な磁場の形成を可能にする角磁石を重畳する
ことを特徴とする方法。
【請求項３１】
ケージ製造後に磁場の均一性を最適化するため、磁石の磁束線と磁極片の端部との間の角度αを調整することからなる請求項２９に記載の方法。
【請求項３２】
１以上の円筒状角磁石を回転させて磁場の微調整を提供し、磁束線を方向付け、磁気材料の製造過程で生ずる不純物によって引き起こされる磁場を修正することからなる請求項２９に記載の方法。